(57)【要約】【課題】事業所・家屋等のドアの自動開錠／閉錠やエアコン等の屋内設備の電源ＯＮ／ＯＦＦ制御などの制御機能を、従来から使用されている通話が可能な基地局装置を少し改良するだけで安価に迅速に提供する。【解決手段】無線電波の到達可能範囲であるところの特定領域を形成する基地局装置と前記基地局装置と前記特定領域内で通信可能な携帯端末とを備えた無線通信システムであって、前記基地局装置は、前記携帯端末が前記特定領域内で前記基地局装置と通信を行ったとき、前記通信の内容に応じた設備の自動制御を行う自動制御手段を備える。【選択図】      図１
2005210422.tif 000002
【特許請求の範囲】
【請求項１】
無線電波の到達可能範囲であるところの特定領域を形成する基地局装置と前記基地局装置と前記特定領域内で通信可能な携帯端末とを備えた無線通信システムであって、前記基地局装置は、前記携帯端末が前記特定領域内で前記基地局装置と通信を行ったとき、前記通信の内容に応じた設備の自動制御を行う自動制御手段を備える、ことを特徴とする自動制御機能を備える無線通信システム。
【請求項２】
前記自動制御手段は、前記携帯端末が前記特定領域内に新たに入ってきたときにドアロックを自動的に開錠する開錠手段を備える、ことを特徴とする請求項１に記載の自動制御機能を備える無線通信システム。
【請求項３】
前記開錠手段は、前記携帯端末から「位置登録要求」メッセージを受信したときに前記携帯端末が前記特定領域内に新たに入ってきたことを認識する、ことを特徴とする請求項２に記載の自動制御機能を備える無線通信システム。
【請求項４】
前記自動制御手段は、更に、前記携帯端末が前記特定領域内に新たに入ってきたとき以降、前記携帯端末が前記特定領域内に存在することを確認する在圏確認手段を備える、ことを特徴とする請求項２或いは請求項３の何れか１項に記載の自動制御機能を備える無線通信システム。
【請求項５】
前記在圏確認手段は、前記携帯端末に対してメッセージを送信し該メッセージに対する応答メッセージを前記携帯端末から受信したときに前記携帯端末が前記特定領域内に存在すると認識する、ことを特徴とする請求項４に記載の自動制御機能を備える無線通信システム。
【請求項６】
前記自動制御手段は、更に、前記携帯端末が前記特定領域外に移動したときにドアロックを自動的に閉錠する閉錠手段を備える、ことを特徴とする請求項４或いは請求項５の何れか１項に記載の自動制御機能を備える無線通信システム。
【請求項７】
前記自動制御手段は、前記携帯端末が前記特定領域内で発信処理を行い該発信処理がコマンドダイヤルの発信処理であることを認識した場合に、屋内設備等の電源ＯＮ／ＯＦＦ等の設備制御を自動的に行う設備制御手段を備える、ことを特徴とする請求項１に記載の自動制御機能を備える無線通信システム。
【請求項８】
前記設備制御手段は、前記携帯端末が発信処理を行うに際して送信した「呼設定」メッセージ内の着番号を解析し、該着番号がコマンドダイヤルの番号と一致したとき該コマンドダイヤルに割当てられている設備制御を行う、ことを特徴とする請求項７に記載の自動制御機能を備える無線通信システム。
【請求項９】
無線電波の到達可能範囲であるところの特定領域を形成する基地局装置であって、前記基地局装置は、携帯端末が前記特定領域内で前記基地局装置と通信を行ったとき、前記通信の内容に応じた設備の自動制御を行う自動制御手段を備える、ことを特徴とする基地局装置。
【請求項１０】
前記自動制御手段は、前記携帯端末が前記特定領域内に新たに入ってきたときにドアロックを自動的に開錠する開錠手段を備える、ことを特徴とする請求項９に記載の基地局装置。
【請求項１１】
前記開錠手段は、前記携帯端末から「位置登録要求」メッセージを受信したときに前記携帯端末が前記特定領域内に新たに入ってきたことを認識する、ことを特徴とする請求項１０に記載の基地局装置。
【請求項１２】
前記自動制御手段は、更に、前記携帯端末が前記特定領域内に新たに入ってきたとき以降、前記携帯端末が前記特定領域内に存在することを確認する在圏確認手段を備える、ことを特徴とする請求項１０或いは請求項１１の何れか１項に記載の基地局装置。
【請求項１３】
前記在圏確認手段は、前記携帯端末に対してメッセージを送信し該メッセージに対する応答メッセージを前記携帯端末から受信したときに前記携帯端末が前記特定領域内に存在すると認識する、ことを特徴とする請求項１２に記載の基地局装置。
【請求項１４】
前記自動制御手段は、更に、前記携帯端末が前記特定領域外に移動したときにドアロックを自動的に閉錠する閉錠手段を備える、ことを特徴とする請求項１２或いは請求項１３の何れか１項に記載の基地局装置。
【請求項１５】
前記自動制御手段は、前記携帯端末が前記特定領域内で発信処理を行い該発信処理がコマンドダイヤルの発信処理であることを認識した場合に、屋内設備等の電源ＯＮ／ＯＦＦ等の設備制御を自動的に行う設備制御手段を備える、ことを特徴とする請求項９に記載の基地局装置。
【請求項１６】
前記設備制御手段は、前記携帯端末が発信処理を行うに際して送信した「呼設定」メッセージ内の着番号を解析し、該着番号がコマンドダイヤルの番号と一致したとき該コマンドダイヤルに割当てられている設備制御を行う、ことを特徴とする請求項１５に記載の基地局装置。
【発明の詳細な説明】
【技術分野】
【０００１】
本発明は、自動制御機能を備える無線通信システムと基地局装置に関し、特に、事業所・家屋等のドアの自動開錠／閉錠やエアコン等の屋内設備の電源ＯＮ／ＯＦＦ制御などを行うことを可能とする、自動制御機能を備える無線通信システムと基地局装置に関する。
【背景技術】
【０００２】
一般に、事業所・家屋等の建物のドアや自動車のドア等は、開錠／閉錠するために専用の鍵がそれぞれ必要である。このような鍵によりドアを開錠／閉錠する場合、鍵を常に所持しておかねばならず、複数の鍵を所持する場合それぞれの鍵を判別せねばならず面倒である。また、鍵を自動車内に残したままドアに鍵をかけて閉めてしまうインロックや、施錠を忘れてしまう場合もありうるという問題がある。さらに、ドアの開錠／閉錠の際には、鍵穴に鍵をささなければならず、両手に荷物を持っている場合や降雨時などは、一旦、荷物を置き、鍵を出して開錠／閉錠する必要があり不便である。
【０００３】
また昨今では、組織化された犯行グループが、特殊工具によって鍵穴から開錠し窃盗する事件も起きるようになってきており、これに対応するため、鍵穴がなく暗証番号をボタン入力する電子式の鍵も採用されるようになってきている。しかし、使用が長期にわたった場合、ボタンが汚れたり磨耗することによって、押下されているボタンが推測され暗証番号が容易に解読されてしまうという問題がある。また、声紋、指紋等による生体認証を利用した電子式の鍵の場合も、機器が玄関等の外部に面しているため、日光、風雪による劣化やイタズラ等により機器が破壊され、開錠できなくなってしまうという問題がある。
【０００４】
これら諸事情に対応するため、コードレス電話システムの位置登録機能を利用して電子錠の自動開錠／閉錠を行い、入退室管理を自動的に行うシステムが提案されるようになってきている（例えば、特許文献１参照。）。
【０００５】
上述した特許文献１の「コードレス電話システム」には、以下のような事業所コードレス電話システムが記載されている。
【０００６】
すなわち、コードレス電話機の携帯者が入退出管理用無線基地局のドアの近傍の監視領域に入ると、コードレス電話機の登録位置と入退出管理用無線基地局の制御信号の位置情報とが異なり、コードレス電話機は位置登録要求を出す。これにより、コードレス電話接続装置がその位置登録の可否を決定し、可の場合は入退室制御装置でその電話番号が登録されているかを調べ、許可されていればドアの電子錠を開錠する。コードレス電話機の携帯者が部屋に入り、コードレス電話機が部屋内の通話用無線基地局を通じて位置登録がなされると、ドアの電子錠を閉錠すると共に、入退室制御装置はその電話番号と入室とその時刻とを記録する。
【０００７】
【特許文献１】特開平９−１５４１６７号公報（第３−６頁、図１−７）
【発明の開示】
【発明が解決しようとする課題】
【０００８】
上述した従来の特許文献１に記載の「コードレス電話システム」は、従来から用いられている通話用無線基地局の他に、システム独自の入退室管理用無線基地局と入退出制御装置を設置することが必要であり、システムを構築するにあたっては莫大なコストと時間が掛かってしまう。また、入退室管理用無線基地局とは異なる通話用無線基地局に、コードレス電話機が位置登録することにより、閉錠を行うようになっており、やはり、通話用無線基地局の他にシステム独自の入退室管理用無線基地局が必須の装置となっている。さらに、ドアの電子錠の開閉機能の他の機能、例えば、エアコン等の屋内設備の電源ＯＮ／ＯＦＦ制御などの機能、は備えていない。
【０００９】
本発明は上述した事情を改善するために成されたものであり、従って本発明の目的は、事業所・家屋等のドアの自動開錠／閉錠やエアコン等の屋内設備の電源ＯＮ／ＯＦＦ制御などの制御機能を、従来から使用されている通話が可能な基地局装置を少し改良することによって安価に迅速に提供することを可能とする、自動制御機能を備える無線通信システムと基地局装置を提供することにある。
【課題を解決するための手段】
【００１０】
本発明の自動制御機能を備える無線通信システムは、無線電波の到達可能範囲であるところの特定領域を形成する基地局装置と前記基地局装置と前記特定領域内で通信可能な携帯端末とを備えた無線通信システムであって、前記基地局装置は、前記携帯端末が前記特定領域内で前記基地局装置と通信を行ったとき、前記通信の内容に応じた設備の自動制御を行う自動制御手段を備える、ことを特徴とする。
【００１１】
また、前記自動制御手段は、前記携帯端末が前記特定領域内に新たに入ってきたときにドアロックを自動的に開錠する開錠手段を備える、ことを特徴とする。
【００１２】
さらに、前記開錠手段は、前記携帯端末から「位置登録要求」メッセージを受信したときに前記携帯端末が前記特定領域内に新たに入ってきたことを認識する、ことを特徴とする。
【００１３】
また、前記自動制御手段は、更に、前記携帯端末が前記特定領域内に新たに入ってきたとき以降、前記携帯端末が前記特定領域内に存在することを確認する在圏確認手段を備える、ことを特徴とする。
【００１４】
さらに、前記在圏確認手段は、前記携帯端末に対してメッセージを送信し該メッセージに対する応答メッセージを前記携帯端末から受信したときに前記携帯端末が前記特定領域内に存在すると認識する、ことを特徴とする。
【００１５】
また、前記自動制御手段は、更に、前記携帯端末が前記特定領域外に移動したときにドアロックを自動的に閉錠する閉錠手段を備える、ことを特徴とする。
【００１６】
さらに、前記自動制御手段は、前記携帯端末が前記特定領域内で発信処理を行い該発信処理がコマンドダイヤルの発信処理であることを認識した場合に、屋内設備等の電源ＯＮ／ＯＦＦ等の設備制御を自動的に行う設備制御手段を備える、ことを特徴とする。
【００１７】
また、前記設備制御手段は、前記携帯端末が発信処理を行うに際して送信した「呼設定」メッセージ内の着番号を解析し、該着番号がコマンドダイヤルの番号と一致したとき該コマンドダイヤルに割当てられている設備制御を行う、ことを特徴とする。
【００１８】
本発明の基地局装置は、無線電波の到達可能範囲であるところの特定領域を形成する基地局装置であって、前記基地局装置は、携帯端末が前記特定領域内で前記基地局装置と通信を行ったとき、前記通信の内容に応じた設備の自動制御を行う自動制御手段を備える、ことを特徴とする。
【００１９】
また、前記自動制御手段は、前記携帯端末が前記特定領域内に新たに入ってきたときにドアロックを自動的に開錠する開錠手段を備える、ことを特徴とする。
【００２０】
さらに、前記開錠手段は、前記携帯端末から「位置登録要求」メッセージを受信したときに前記携帯端末が前記特定領域内に新たに入ってきたことを認識する、ことを特徴とする。
【００２１】
また、前記自動制御手段は、更に、前記携帯端末が前記特定領域内に新たに入ってきたとき以降、前記携帯端末が前記特定領域内に存在することを確認する在圏確認手段を備える、ことを特徴とする。
【００２２】
さらに、前記在圏確認手段は、前記携帯端末に対してメッセージを送信し該メッセージに対する応答メッセージを前記携帯端末から受信したときに前記携帯端末が前記特定領域内に存在すると認識する、ことを特徴とする。
【００２３】
また、前記自動制御手段は、更に、前記携帯端末が前記特定領域外に移動したときにドアロックを自動的に閉錠する閉錠手段を備える、ことを特徴とする。
【００２４】
さらに、前記自動制御手段は、前記携帯端末が前記特定領域内で発信処理を行い該発信処理がコマンドダイヤルの発信処理であることを認識した場合に、屋内設備等の電源ＯＮ／ＯＦＦ等の設備制御を自動的に行う設備制御手段を備える、ことを特徴とする。
【００２５】
また、前記設備制御手段は、前記携帯端末が発信処理を行うに際して送信した「呼設定」メッセージ内の着番号を解析し、該着番号がコマンドダイヤルの番号と一致したとき該コマンドダイヤルに割当てられている設備制御を行う、ことを特徴とする。
【発明の効果】
【００２６】
本発明の自動制御機能を備える無線通信システムと基地局装置は、従来から使用されている携帯電話網或いはＰＨＳ電話網の基地局に、設備の自動制御を行う自動制御手段を追加したものとなっている。従って、事業所・家屋等のドアの自動開錠／閉錠やエアコン等の屋内設備の電源ＯＮ／ＯＦＦ制御などの制御機能を、従来から使用されている通話が可能な基地局の少しの改良だけで、安価に迅速に提供することが可能となる。
【発明を実施するための最良の形態】
【００２７】
次に、本発明の実施の形態について図面を参照して説明する。
【００２８】
図１は、本発明の自動制御機能を備える無線通信システムの一実施形態を示すブロック図である。
【００２９】
図１に示す本実施の形態は、携帯電話或いはＰＨＳ（Ｐｅｒｓｏｎａｌ  Ｈａｎｄｙｐｈｏｎｅ  Ｓｙｓｔｅｍ：パーソナルハンディホンシステム）端末等の携帯端末３０と、携帯端末３０と無線通信を行う基地局１０と、から構成されている。そして、基地局１０は、携帯端末３０と通信可能な在圏領域２０を形成している。また、基地局１０は、図示しない移動体通信網の交換局と接続されている。
【００３０】
次に、図２を参照して、基地局１０の構成について説明する。
【００３１】
図２は、基地局の一例を示す詳細ブロック図である。
【００３２】
図２において、基地局１０は、携帯端末３０との通信を行うために無線電波を送受信する送受信アンテナ１０１と、主制御・通信装置１００と、表示部１０６と、キーボード１０８と、ドアロックアクチュエータ１１０と、設備制御装置１１２とを有する。
【００３３】
主制御・通信装置１００は、送受信アンテナ１０１で受信した無線電波の復調および制御部１０３からのデータを変調する無線部１０２と、無線部１０２、表示処理部１０５、入力処理部１０７、開閉錠処理部１０９、設備制御処理部１１１等の各部の動作を制御する制御部１０３と、基地局１０の動作制御プログラムおよび携帯端末３０の電話番号等のデータを蓄積するメモリ１０４と、交換局へ接続する回線インタフェース１１３と、制御部１０３からの表示データに基づき表示制御を行って表示部１０６に文字等の表示を行う表示処理部１０５と、キーボード１０８からの入力データを検出・解析して制御部１０３に出力する入力処理部１０７と、基地局１０の近傍に設置されているドアのドアロックの開錠／閉錠を行うドアロックアクチュエータ１１０を制御する開閉錠処理部１０９と、基地局１０の近傍に設置されている屋内設備の電源ＯＮ／ＯＦＦなどの制御を行う設備制御装置１１２を制御する設備制御処理部１１１と、から構成されている。
【００３４】
主制御・通信装置１００の開閉錠処理部１０９とドアロックアクチュエータ１１０との間は、ハーネス等による有線接続、もしくは無線通信により接続される。同様に、主制御・通信装置１００の設備制御処理部１１１と設備制御装置１１２との間は、ハーネス等による有線接続、もしくは無線通信により接続される。
【００３５】
なお、図２のドアロックアクチュエータ１１０が制御するドアロックは、事業所・家屋等のドアのドアロックあってもよいし、或いは、自動車のドアのドアロックであってもよい。また、図２の設備制御装置１１２が制御する屋内設備は、事業所・家屋等のエアコンや電灯等の屋内設備であってもよいし、或いは、自動車のエンジン等であってもよい。屋内設備が自動車のエンジンである場合には、設備制御装置１１２はエンジンを始動／停止させる機能を備えるものとなる。
【００３６】
そしてまた、基地局１０の送信出力は、携帯端末３０と相互に通信可能な在圏領域２０の範囲を、事業所・家屋或いは自動車等のドアの鍵の開閉や屋内設備の設備制御を行いたい希望の大きさに合うように調整することが可能となっている。調整は、基地局１０のキーボード１０８から調整値を入力することにより行うようにしてもよいし、もしくは、基地局１０の外部からドライバ工具等によって基地局１０の無線部１０２の送信出力回路（図示せず）に実装された可変抵抗等を調整して行うようにしてもよい。
【００３７】
次に、図３を参照して、携帯端末３０の構成について説明する。
【００３８】
図３は、携帯端末の一例を示す詳細ブロック図である。
【００３９】
図３において、携帯端末３０は、基地局１０との通信を行うために無線電波を送受信する送受信アンテナ３０１と、送受信アンテナ３０１で受信した無線電波の復調および制御部３０３からのデータを変調する無線部３０２と、無線部３０２、表示処理部３０５、入力処理部３０７等の各部の動作を制御する制御部３０３と、携帯端末３０の動作制御プログラムおよび携帯端末３０の電話番号等のデータを蓄積するメモリ３０４と、制御部３０３からの表示データに基づき表示制御を行う表示処理部３０５と、表示処理部３０５が出力する文字等を表示する表示部３０６と、電話番号の入力等を行うキーボード３０８と、キーボード３０８からの入力データを検出・解析して制御部３０３に出力する入力処理部３０７と、から構成されている。
【００４０】
図１から図３に示した本実施形態の自動制御機能を備える無線通信システムは、携帯電話・ＰＨＳ端末等の携帯端末３０と、携帯端末３０と無線通信を行う基地局１０とを用いて、事業所・家屋或いは自動車等のドアの鍵の開錠／閉錠と、事業所・家屋等のエアコン等の屋内設備や自動車のエンジンなど各設備の設備制御を行うものである。
【００４１】
そして、本実施形態における開閉錠処理は、携帯端末３０から送信される「位置登録要求」メッセージを利用するようにしている。基地局１０の主制御・通信装置１００は、メモリ１０４にその電話番号が登録済みの携帯端末３０から「位置登録要求」メッセージを受信した場合、制御部１０３は開閉錠処理部１０９を制御し、開錠処理を行う。すなわち、開閉錠処理部１０９はドアロックアクチュエータ１１０を駆動し開錠する。開錠後、常時、制御部１０３は携帯端末３０の在圏確認を行い、携帯端末３０が基地局１０と相互に通信可能な在圏領域２０の外へ移動した場合、開閉錠処理部１０９を制御しドアロックアクチュエータ１１０を駆動して閉錠処理を行う。
【００４２】
また、本実施形態における設備制御処理は、携帯端末３０が発信時に送信する「呼設定」メッセージを利用するようにしている。通常、「呼設定」メッセージには、携帯端末３０の電話番号（発番号）と着信先の電話番号のデータ（着番号）が含まれている。本実施形態における基地局１０は、制御部１０３により着番号が通常の電話番号でないと判断された場合、この着番号を特定の機能を割り当てられたコマンドダイヤルとして認識し、さらに、設備制御処理部１１１を制御し、設備制御装置１１２に指示して各種の設備制御を行う。
【００４３】
ここで、図４、図５を参照して、「位置登録要求」メッセージ及び「呼設定」メッセージについて説明を行っておく。
【００４４】
図４は、携帯端末が位置登録要求を行う際のメッセージシーケンスを示す図である。
【００４５】
通常、移動体通信網においては、図１の在圏領域２０に示すように、一つの基地局１０でカバーできる通信可能範囲は限られているため、携帯端末３０がどの基地局の通信可能範囲に存在するかを移動体通信網側（基地局と交換局を含む）で常に把握しておくことが必要である。そのため、携帯端末３０が場所を移動して他の基地局のカバーする通信可能範囲に入ると、携帯端末３０は「位置登録要求」メッセージを移動体通信網側に送信し、移動体通信網側では携帯端末３０の位置情報を移動体通信網内のメモリに記憶するようになっている。
【００４６】
すなわち、図１の在圏領域２０の外に存在していた携帯端末３０（図１の（イ）として示す）が移動して、基地局１０がカバーする在圏領域２０の中に入ると（図１の（ロ）として示す）、図４に示すように、携帯端末３０の無線部３０２が基地局１０からの制御信号を受信し、これにより無線部３０２は「位置登録要求」メッセージ４０１を移動体通信網に対して送信する。移動体通信網は携帯端末３０を認証するための「認証要求」メッセージ４０２を携帯端末３０に対して返送し、携帯端末３０は自携帯端末３０の電話番号などの認証に必要な情報を「認証応答」メッセージ４０３に格納して送信する。移動体通信網は「認証応答」メッセージ４０３により携帯端末３０の認証を行い、認証されれば「位置登録受付」メッセージ４０４を携帯端末３０に返送して、携帯端末３０が基地局１０の在圏領域２０に存在するとの位置情報を記憶する。
【００４７】
図５は、携帯端末が発信を行う際のメッセージシーケンスを示す図である。
【００４８】
携帯端末３０は発信を行う場合、「呼設定」メッセージ５０１を移動体通信網に対して送信する。通常、移動体通信網は「呼設定」メッセージ５０１に含まれている着信先の電話番号（着番号）に呼を接続し、該呼が切断されると「解放完了」メッセージ５０２を携帯端末３０に送信する。
【００４９】
次に、図１から図３に示した本実施形態の自動制御機能を備える無線通信システムの動作について、詳細に説明する。
【００５０】
図１から図３に示した無線通信システムは、ＰＤＣ（Ｐｅｒｓｏｎａｌ  Ｄｉｇｉｔａｌ  Ｃｅｌｌｕｌａｒ）方式の携帯電話網、ＰＨＳ電話網、或いは、他の通信方式の移動体通信網であってもよい。本実施形態の動作の説明では、ＰＤＣ方式携帯電話網の場合とＰＨＳ電話網の場合とのそれぞれについて別々に説明するものとする。
【００５１】
先ず、図１から図３に示した無線通信システムが、ＰＤＣ方式携帯電話網である場合の動作について、図６、図７のフローチャートを参照して説明する。ここで基地局１０はＰＤＣ方式携帯電話網の基地局であり、携帯端末３０はＰＤＣ方式の携帯電話である。
【００５２】
主制御・通信装置１００のメモリ１０４には、予め、ドアロックの開閉錠等の操作或いは屋内設備の制御操作等を許可する携帯端末３０の加入者番号と電話番号とが登録されている。メモリ１０４への登録は、以下の何れかの方法によって行われる。第１の方法は、携帯電話網の交換局から基地局１０に対してデータ（加入者番号と電話番号）を送信して登録する方法。第２の方法は、基地局１０のキーボード１０８からユーザ操作でデータを入力して登録する方法。第３の方法は、ユーザ操作により基地局１０と携帯端末３０を特殊モードで起動し、携帯端末３０からデータを送信して登録する方法である。
【００５３】
図６、図７は、ＰＤＣ方式携帯電話網での動作を説明するフローチャートである。
【００５４】
先ず、図６を参照して、ドアロックを開閉錠する際の動作について説明する。
【００５５】
ドアロックの開閉錠処理は、前述したように、携帯端末３０から送信される「位置登録要求」メッセージを利用するようにしている。基地局１０は、メモリ１０４に登録済みの携帯端末３０から「位置登録要求」メッセージを受信した場合に開錠処理を行う。開錠後、常時、携帯端末３０の在圏確認を行い、携帯端末３０が基地局１０と相互に通信可能な在圏領域２０の外へ移動した場合、閉錠処理を行う。
【００５６】
すなわち、図６において、基地局１０は携帯端末３０からの「位置登録要求」メッセージの受信待ち状態である（図６のステップＳ１。図６の「Ａ」点である。）。このときドアロックは閉錠状態であるものとする。
【００５７】
ここで、基地局１０が携帯端末３０から「位置登録要求」メッセージを受信すると（図６のステップＳ２）、基地局１０は携帯端末３０の位置登録処理を行う。すなわち、図４に示したように、基地局１０から「認証要求」メッセージ４０２を送信し、携帯端末３０から「認証応答」メッセージ４０３を受けて携帯端末３０の認証を行う。そして、認証がＯＫであったか否かを制御部１０３で判定する（図６のステップＳ３）。
【００５８】
認証がＯＫでない場合は（ステップＳ３でＮｏ）、ステップＳ１（図６中では「Ａ」点として示している。）へ戻る。
【００５９】
認証がＯＫの場合（ステップＳ３でＹｅｓ）、制御部１０３は、「位置登録要求」メッセージを送信してきた携帯端末３０が、基地局１０に登録されているか否かを判定する（図６のステップＳ４）。すなわち、制御部１０３は、基地局１０が受信した「位置登録要求」メッセージに含まれる加入者番号と、基地局１０のメモリ１０４に登録済みの携帯端末３０の加入者番号とを比較する。そして、上述の両加入者番号が一致しなかった場合、該携帯端末３０は登録されていないと判定し（ステップＳ４でＮｏ）、ステップＳ１へ戻る。
【００６０】
両加入者番号が一致した場合、制御部１０３は、該携帯端末３０は登録されていると判定し（ステップＳ４でＹｅｓ）、登録されている携帯端末３０が基地局１０の在圏領域２０の中に移動してきたものであるため、これまで閉錠状態であったドアロックの開錠処理を行う（図６のステップＳ５）。すなわち、基地局１０の制御部１０３は、開閉錠処理部１０９に対して開錠命令を送信する。開錠命令を受信した開閉錠処理部１０９はドアロックアクチュエータ１１０を作動させてドアロックを開錠する。
【００６１】
ステップＳ５でドアロックの開錠を行った後、常時、主制御・通信装置１００の制御部１０３は、無線部１０２を介して携帯端末３０の在圏確認を行う。在圏確認の方法は、基地局１０が携帯端末３０に対して「レベル測定要求」メッセージを送信し、制御部１０３の閉錠タイマで指定される一定時間内に基地局１０が携帯端末３０から「レベル測定応答」メッセージを受信できなかった場合、携帯端末３０が基地局１０と相互に通信可能な在圏領域２０の外へ移動したものとし、携帯端末３０が在圏していないと判断する。そして、携帯端末３０が在圏しなくなった場合に後述するステップＳ１３の閉錠処理を行う。
【００６２】
すなわち、制御部１０３は閉錠タイマ（図示略）をスタートさせ（図６のステップＳ６）、次に、携帯端末３０から「呼設定」メッセージを受信したか否かを判定する（図６のステップＳ７）。ここでは、ドアロックは開錠状態である。
【００６３】
基地局１０が携帯端末３０から「呼設定」メッセージを受信した場合（ステップＳ７でＹｅｓ）、制御部１０３は閉錠タイマのカウントをクリアし（図６のステップＳ８）、「呼設定」メッセージ受信時の処理を行うため、図６の「Ｃ」点に進む（図６の「Ｃ」点は、図７の「Ｃ」点に接続するものであり、「Ｃ」点以降の動作については、図７を参照して後述するものとする。）。ステップＳ８における閉錠タイマのクリアは、携帯端末３０が在圏中においては、基地局１０と携帯端末３０は通信用のチャネルで継続的に通信状態となるため、基地局１０と携帯端末３０の通信が切断されるまで、閉錠タイマのカウントアップを停止するようにしたために行うものである。
【００６４】
基地局１０が携帯端末３０から「呼設定」メッセージを受信していない場合（ステップＳ７でＮｏ）、制御部１０３は携帯端末３０の在圏を確認するために、無線部１０２を経由して携帯端末３０に対して「レベル測定要求」メッセージを送信する（図６のステップＳ９）。そして、制御部１０３は、携帯端末３０から無線部１０２を経由して「レベル測定応答」メッセージを受信したか否かを判定する（図６のステップＳ１０）。
【００６５】
基地局１０が、携帯端末３０から「レベル測定応答」メッセージを受信した場合（ステップＳ１０でＹｅｓ）、携帯端末３０の在圏が確認されたので、制御部１０３は閉錠タイマをクリアし（図６のステップＳ１１）、図６の「Ｂ」点に進み、ステップＳ７からの処理を繰り返す。なお、図６の「Ｂ」点においては、閉錠タイマのカウントアップを再開する。
【００６６】
基地局１０が、携帯端末３０から「レベル測定応答」メッセージを受信しなかった場合（ステップＳ１０でＮｏ）、次に、制御部１０３は閉錠タイマがタイムアップしたか否かを判定する（図６のステップＳ１２）。
【００６７】
制御部１０３の閉錠タイマがタイムアップした場合（ステップＳ１２でＹｅｓ）、他に在圏している携帯端末が存在しないことを確認して、これまで開錠状態であったドアロックの閉錠処理を行う（図６のステップＳ１３）。すなわち、基地局１０の制御部１０３は、開閉錠処理部１０９に対して閉錠命令を送信する。閉錠命令を受信した開閉錠処理部１０９はドアロックアクチュエータ１１０を作動させてドアロックを閉錠する。そして、図６の「Ａ」点に戻り、基地局１０は携帯端末３０からの「位置登録要求」メッセージの受信待ち状態となる。
【００６８】
制御部１０３の閉錠タイマがタイムアップしていない場合（ステップＳ１２でＮｏ）、図６の「Ｂ」点に進み、ステップＳ７からの処理を繰り返す。
【００６９】
なお、図６のステップＳ１においては、ドアロックは閉錠状態であるものとして説明したが、登録済みの他の携帯端末が既に在圏している場合は、ドアロックが開錠状態で図６の処理フローが実行されるようになる。すなわち、ステップＳ５において開錠処理を行っても、既に開錠状態であるため、ドアロックには何の作用も生じない。
【００７０】
次に、図７を参照して、設備制御処理を行う際の動作について説明する。
【００７１】
設備制御処理は、携帯端末３０が発信時に送信する「呼設定」メッセージを利用するようにしている。通常、「呼設定」メッセージには、携帯端末３０の電話番号（発番号）と着信先の電話番号のデータ（着番号）が含まれている。本実施形態における基地局１０は、着番号が通常の電話番号でない場合この着番号を特定の機能を割り当てられたコマンドダイヤルとして認識し、各種の設備制御を行う。
【００７２】
一般に、着番号は、「０」、「１」等の数字で始まっている。そこで、本実施形態においては、「５５５」番等の一般の着番号として実在しえない架空の番号を「エンジン始動」等の設備制御コマンドとして割り当て、携帯端末３０のキーボード３０８から「５５５」と入力し、オフフック発信することにより、自動車のエンジンを始動させるようにしたものである。
【００７３】
なお、上述の設備制御コマンドを本実施形態においてはコマンドダイヤルと称するものとし、コマンドダイヤルは、予め、基地局１０のメモリ１０４に登録されている。メモリ１０４への登録は、以下の何れかの方法によって行われる。第１の方法は、携帯電話網の交換局からデータ（コマンドダイヤルの番号とその機能）を送信して登録する方法。第２の方法は、基地局１０のキーボード１０８からユーザ操作でデータを入力して登録する方法。第３の方法は、ユーザ操作により基地局１０と携帯端末３０を特殊モードで起動し、携帯端末３０からデータを送信して登録する方法である。
【００７４】
図７において、「Ｃ」点は、基地局１０が携帯端末３０から「呼設定」メッセージを受信した状態である（図６の「Ｃ」点から接続されているため）。
【００７５】
基地局１０の制御部１０３は、「呼設定」メッセージを送信してきた携帯端末３０が、基地局１０に登録されているか否かを判定する（図７のステップＳ２１）。すなわち、主制御・通信装置１００の制御部１０３は、受信した「呼設定」メッセージに含まれる発番号と、メモリ１０４に登録済みの電話番号とを比較する。そして、上述の発番号と電話番号とが一致しなかった場合、該携帯端末３０は登録されていないと判定し（ステップＳ２１でＮｏ）、基地局１０から交換局に対し通常の発信処理を行って（図７のステップＳ２２）、その後、図６に示した「Ｂ」点に進み、図６のステップＳ７からの処理を繰り返す。
【００７６】
発番号と電話番号とが一致した場合（ステップＳ２１でＹｅｓ）、制御部１０３は該「呼設定」メッセージがコマンドダイヤルか否かを判定する（図７のステップＳ２３）。すなわち、制御部１０３は、基地局１０が受信した「呼設定」メッセージに含まれる着番号と、主制御・通信装置１００のメモリ１０４に登録してあるコマンドダイヤルとを比較する。そして、上述の着番号とコマンドダイヤルとが一致しなかった場合、該「呼設定」メッセージはコマンドダイヤルではないと判定し（ステップＳ２３でＮｏ）、基地局１０から交換局に対し通常の発信処理を行って（図７のステップＳ２４）、その後、図６に示した「Ｂ」点に進み、図６のステップＳ７からの処理を繰り返す。
【００７７】
着番号とコマンドダイヤルとが一致した場合（ステップＳ２３でＹｅｓ）、基地局１０はコマンドダイヤルの機能を識別し、コマンドダイヤルで指定された機能を実行させる（図７のステップＳ２５）。すなわち、基地局１０の制御部１０３は、設備制御処理部１１１に対してコマンドダイヤルの機能の実行命令を送信する。コマンドダイヤルの機能の実行命令を受信した設備制御処理部１１１は設備制御装置１１２を作動させて屋内設備を作動させるようにする。そして、図６に示した「Ｂ」点に進み、図６のステップＳ７からの処理を繰り返す。
【００７８】
なお、上述したステップＳ２５におけるコマンド処理の具体例を示しておくと、例えば、「５５５」番を自動車のエンジン始動、「５０１」番をエアコンの電源ＯＮ、「５０２」番をエアコンの電源ＯＦＦといったように番号を割当てておき、携帯端末３０のキーボード３０８から「５５５」と入力してオフフック発信することにより、自動車のエンジンが始動されるようになる。また、携帯端末３０のユーザメニューで「エンジン始動」を選択することにより、オフフックキーを押下せずに携帯端末３０からコマンドダイヤルが発信されるよう、携帯端末３０の機能拡張を行っておいてもよい。
【００７９】
またさらに、携帯端末３０による開錠／閉錠処理の結果やコマンドダイヤルの完了表示（ＯＫ／ＮＧ（Ｎｏ  Ｇｏｏｄ）等）を、携帯端末３０の表示部３０６に表示するようにしてもよい。ＯＫ／ＮＧ等の表示内容は、基地局１０から携帯端末３０へ送信される「位置登録受付」メッセージ（図４の「位置登録受付」メッセージ４０４として示した）や、「解放完了」メッセージ（図５の「解放完了」メッセージ５０２として示した）等のメッセージ内に指定するようにすればよい。開錠時は、基地局１０から携帯端末３０へ送信される「位置登録受付」メッセージに含まれる「表示」データを利用する。コマンドダイヤルの場合は、基地局１０から携帯端末３０へ送信される「開放完了」メッセージに含まれる「表示」データ、もしくは、「ユーザ・ユーザ」データを利用する。閉錠時は、基地局１０から携帯電話網を介して携帯端末３０に閉錠処理が完了したことを通知し、携帯端末３０の制御部３０３が表示処理部３０５に表示データを送信し、表示部３０６にＯＫ／ＮＧ等を表示する。また、基地局１０と携帯端末３０が相互に通信可能な在圏領域２０から外れた時に、携帯端末３０が単体で制御部３０３から表示処理部３０５に表示データを送信し、表示部３０６にＯＫ／ＮＧ等を表示するようにしてもよい。
【００８０】
次に、図１から図３に示した無線通信システムが、ＰＨＳ電話網である場合の動作について、図８、図９のフローチャートを参照して説明する。ここで基地局１０はＰＨＳ電話網の基地局であり、携帯端末３０はＰＨＳ方式のＰＨＳ端末である。
【００８１】
主制御・通信装置１００のメモリ１０４には、予め、ドアロックの開閉錠等の操作或いは屋内設備の制御操作等を許可する携帯端末３０の電話番号が登録されている。メモリ１０４への登録は、以下の何れかの方法によって行われる。第１の方法は、ＰＨＳ電話網の交換局から基地局１０に対してデータ（電話番号）を送信して登録する方法。第２の方法は、基地局１０のキーボード１０８からユーザ操作でデータを入力して登録する方法。第３の方法は、ユーザ操作により基地局１０と携帯端末３０を特殊モードで起動し、携帯端末３０からデータを送信して登録する方法である。
【００８２】
図８、図９は、ＰＨＳ電話網での動作を説明するフローチャートである。
【００８３】
先ず、図８を参照して、ドアロックを開閉錠する際の動作について説明する。
【００８４】
ドアロックの開閉錠処理は、携帯端末３０から送信される「位置登録要求」メッセージを利用するようにしている。基地局１０は、メモリ１０４に登録済みの携帯端末３０から「位置登録要求」メッセージを受信した場合に開錠処理を行う。開錠後、常時、携帯端末３０の在圏確認を行い、携帯端末３０が基地局１０と相互に通信可能な在圏領域２０の外へ移動した場合、閉錠処理を行う。
【００８５】
すなわち、図８において、基地局１０は携帯端末３０からの「位置登録要求」メッセージの受信待ち状態である（図８のステップＳ３１。図８の「Ｄ」点である。）。このときドアロックは閉錠状態であるものとする。
【００８６】
ここで、基地局１０が携帯端末３０から「位置登録要求」メッセージを受信すると（図８のステップＳ３２）、基地局１０は携帯端末３０の位置登録処理を行う。すなわち、図４に示したように、基地局１０から「認証要求」メッセージ４０２を送信し、携帯端末３０から「認証応答」メッセージ４０３を受けて携帯端末３０の認証を行う。そして、認証がＯＫであったか否かを制御部１０３で判定する（図８のステップＳ３３）。
【００８７】
認証がＯＫでない場合は（ステップＳ３３でＮｏ）、ステップＳ３１（図８中では「Ｄ」点として示している。）へ戻る。
【００８８】
認証がＯＫの場合（ステップＳ３３でＹｅｓ）、制御部１０３は、「位置登録要求」メッセージを送信してきた携帯端末３０が、基地局１０に登録されているか否かを判定する（図８のステップＳ３４）。すなわち、制御部１０３は、基地局１０が受信した「位置登録要求」メッセージに含まれるＰＳ（Ｐｅｒｓｏｎａｌ  Ｓｔａｔｉｏｎ）番号と、基地局１０のメモリ１０４に登録済みの携帯端末３０の電話番号とを比較する。そして、上述のＰＳ番号と電話番号とが一致しなかった場合、該携帯端末３０は登録されていないと判定し（ステップＳ３４でＮｏ）、ステップＳ３１へ戻る。
【００８９】
ＰＳ番号と電話番号とが一致した場合、制御部１０３は、該携帯端末３０は登録されていると判定し（ステップＳ３４でＹｅｓ）、登録されている携帯端末３０が基地局１０の在圏領域２０の中に移動してきたものであるため、これまで閉錠状態であったドアロックの開錠処理を行う（図８のステップＳ３５）。すなわち、基地局１０の制御部１０３は、開閉錠処理部１０９に対して開錠命令を送信する。開錠命令を受信した開閉錠処理部１０９はドアロックアクチュエータ１１０を作動させてドアロックを開錠する。
【００９０】
ステップＳ３５でドアロックの開錠を行った後、常時、主制御・通信装置１００の制御部１０３は、無線部１０２を介して携帯端末３０の在圏確認を行う。在圏確認の方法は、基地局１０が携帯端末３０に対して「着呼」メッセージを送信し、制御部１０３の閉錠タイマで指定される一定時間内に基地局１０が携帯端末３０から「リンクチャネル確立要求」メッセージを受信できなかった場合、携帯端末３０が基地局１０と相互に通信可能な在圏領域２０の外へ移動したものとし、携帯端末３０が在圏していないと判断する。そして、携帯端末３０が在圏しなくなった場合に後述するステップＳ４３の閉錠処理を行う。在圏確認のための「着呼」の場合、基地局１０は携帯端末３０から「リンクチャネル確立要求」を受信後、基地局１０は携帯端末３０に「リンクチャネル割当拒否」を送信するものとする。
【００９１】
すなわち、制御部１０３は閉錠タイマをスタートさせ（図８のステップＳ３６）、次に、携帯端末３０から「呼設定」メッセージを受信したか否かを判定する（図８のステップＳ３７）。ここでは、ドアロックは開錠状態である。
【００９２】
基地局１０が携帯端末３０から「呼設定」メッセージを受信した場合（ステップＳ３７でＹｅｓ）、制御部１０３は閉錠タイマのカウントをクリアし（図８のステップＳ３８）、「呼設定」メッセージ受信時の処理を行うため、図８の「Ｆ」点に進む（図８の「Ｆ」点は、図９の「Ｆ」点に接続するものであり、「Ｆ」点以降の動作については、図９を参照して後述するものとする。）。ステップＳ３８における閉錠タイマのクリアは、携帯端末３０が在圏中においては、基地局１０と携帯端末３０は通信用のチャネルで継続的に通信状態となるため、基地局１０と携帯端末３０の通信が切断されるまで、閉錠タイマのカウントアップを停止するようにしたために行うものである。
【００９３】
基地局１０が携帯端末３０から「呼設定」メッセージを受信していない場合（ステップＳ３７でＮｏ）、制御部１０３は携帯端末３０の在圏を確認するために、無線部１０２を経由して携帯端末３０に対して「着呼」メッセージを送信する（図８のステップＳ３９）。そして、制御部１０３は、携帯端末３０から無線部１０２を経由して「リンクチャネル確立要求」メッセージを受信したか否かを判定する（図８のステップＳ４０）。
【００９４】
基地局１０が、携帯端末３０から「リンクチャネル確立要求」メッセージを受信した場合（ステップＳ４０でＹｅｓ）、携帯端末３０の在圏が確認されたので、制御部１０３は閉錠タイマをクリアし（図８のステップＳ４１）、図８の「Ｅ」点に進み、ステップＳ３７からの処理を繰り返す。なお、図８の「Ｅ」点においては、閉錠タイマのカウントアップを再開する。
【００９５】
基地局１０が、携帯端末３０から「リンクチャネル確立要求」メッセージを受信しなかった場合（ステップＳ４０でＮｏ）、次に、制御部１０３は閉錠タイマがタイムアップしたか否かを判定する（図８のステップＳ４２）。
【００９６】
制御部１０３の閉錠タイマがタイムアップした場合（ステップＳ４２でＹｅｓ）、他に在圏している携帯端末が存在しないことを確認して、これまで開錠状態であったドアロックの閉錠処理を行う（図８のステップＳ４３）。すなわち、基地局１０の制御部１０３は、開閉錠処理部１０９に対して閉錠命令を送信する。閉錠命令を受信した開閉錠処理部１０９はドアロックアクチュエータ１１０を作動させてドアロックを閉錠する。そして、図８の「Ｄ」点に戻り、基地局１０は携帯端末３０からの「位置登録要求」メッセージの受信待ち状態となる。
【００９７】
制御部１０３の閉錠タイマがタイムアップしていない場合（ステップＳ４２でＮｏ）、図８の「Ｅ」点に進み、ステップＳ３７からの処理を繰り返す。
【００９８】
なお、図８のステップＳ３１においては、ドアロックは閉錠状態であるものとして説明したが、登録済みの他の携帯端末が既に在圏している場合は、ドアロックが開錠状態で図８の処理フローが実行されるようになる。すなわち、ステップＳ３５において開錠処理を行っても、既に開錠状態であるため、ドアロックには何の作用も生じない。
【００９９】
次に、図９を参照して、設備制御処理を行う際の動作について説明する。
【０１００】
設備制御処理は、携帯端末３０が発信時に送信する「呼設定」メッセージを利用するようにしている。通常、「呼設定」メッセージには、携帯端末３０の電話番号（発番号）と着信先の電話番号のデータ（着番号）が含まれている。本実施形態における基地局１０は、着番号が通常の電話番号でない場合この着番号を特定の機能を割り当てられたコマンドダイヤルとして認識し、各種の設備制御を行う。
【０１０１】
例えば、公衆網や事業所通信網等で使用している電話番号以外の「５５５」番等の一般の着番号として実在しえない架空の番号を「エンジン始動」等の設備制御コマンドとして割り当て、携帯端末３０のキーボード３０８から「５５５」と入力し、オフフック発信することにより、自動車のエンジンを始動させるようにしたものである。
【０１０２】
なお、上述の設備制御コマンドを本実施形態においてはコマンドダイヤルと称するものとし、コマンドダイヤルは、予め、基地局１０のメモリ１０４に登録されている。メモリ１０４への登録は、以下の何れかの方法によって行われる。第１の方法は、ＰＨＳ電話網の交換局からデータ（コマンドダイヤルの番号とその機能）を送信して登録する方法。第２の方法は、基地局１０のキーボード１０８からユーザ操作でデータを入力して登録する方法。第３の方法は、ユーザ操作により基地局１０と携帯端末３０を特殊モードで起動し、携帯端末３０からデータを送信して登録する方法である。
【０１０３】
図９において、「Ｆ」点は、基地局１０が携帯端末３０から「呼設定」メッセージを受信した状態である（図８の「Ｆ」点から接続されているため）。
【０１０４】
基地局１０の制御部１０３は、「呼設定」メッセージを送信してきた携帯端末３０が、基地局１０に登録されているか否かを判定する（図７のステップＳ５１）。すなわち、主制御・通信装置１００の制御部１０３は、受信した「呼設定」メッセージに含まれる発番号と、メモリ１０４に登録済みの電話番号とを比較する。そして、上述の発番号と電話番号とが一致しなかった場合、該携帯端末３０は登録されていないと判定し（ステップＳ５１でＮｏ）、基地局１０から交換局に対し通常の発信処理を行って（図９のステップＳ５２）、その後、図８に示した「Ｅ」点に進み、図８のステップＳ３７からの処理を繰り返す。
【０１０５】
発番号と電話番号とが一致した場合（ステップＳ５１でＹｅｓ）、制御部１０３は該「呼設定」メッセージがコマンドダイヤルか否かを判定する（図９のステップＳ５３）。すなわち、制御部１０３は、基地局１０が受信した「呼設定」メッセージに含まれる着番号と、主制御・通信装置１００のメモリ１０４に登録してあるコマンドダイヤルとを比較する。そして、上述の着番号とコマンドダイヤルとが一致しなかった場合、該「呼設定」メッセージはコマンドダイヤルではないと判定し（ステップＳ５３でＮｏ）、基地局１０から交換局に対し通常の発信処理を行って（図９のステップＳ５４）、その後、図８に示した「Ｅ」点に進み、図８のステップＳ３７からの処理を繰り返す。
【０１０６】
着番号とコマンドダイヤルとが一致した場合（ステップＳ５３でＹｅｓ）、基地局１０はコマンドダイヤルの機能を識別し、コマンドダイヤルで指定された機能を実行させる（図９のステップＳ５５）。すなわち、基地局１０の制御部１０３は、設備制御処理部１１１に対してコマンドダイヤルの機能の実行命令を送信する。コマンドダイヤルの機能の実行命令を受信した設備制御処理部１１１は設備制御装置１１２を作動させて屋内設備を作動させるようにする。そして、図８に示した「Ｅ」点に進み、図８のステップＳ３７からの処理を繰り返す。
【０１０７】
なお、上述したステップＳ５５におけるコマンド処理の具体例を示しておくと、例えば、「５５５」番を自動車のエンジン始動、「５０１」番をエアコンの電源ＯＮ、「５０２」番をエアコンの電源ＯＦＦといったように番号を割当てておき、携帯端末３０のキーボード３０８から「５５５」と入力してオフフック発信することにより、自動車のエンジンが始動されるようになる。また、携帯端末３０のユーザメニューで「エンジン始動」を選択することにより、オフフックキーを押下せずに携帯端末３０からコマンドダイヤルが発信されるよう、携帯端末３０の機能拡張を行っておいてもよい。
【０１０８】
またさらに、携帯端末３０による開錠／閉錠処理の結果やコマンドダイヤルの完了表示（ＯＫ／ＮＧ等）を、携帯端末３０の表示部３０６に表示するようにしてもよい。ＯＫ／ＮＧ等の表示内容は、基地局１０から携帯端末３０へ送信される「位置登録受付」メッセージ（図４の「位置登録受付」メッセージ４０４として示した）や、「解放完了」メッセージ（図５の「解放完了」メッセージ５０２として示した）等のメッセージ内に指定するようにすればよい。開錠時は、基地局１０から携帯端末３０へ送信される「位置登録受付」メッセージに含まれる「表示」データを利用する。コマンドダイヤルの場合は、基地局１０から携帯端末３０へ送信される「開放完了」メッセージに含まれる「表示」データ、もしくは、「ユーザ・ユーザ」データを利用する。閉錠時は、基地局１０からＰＨＳ電話網を介して携帯端末３０に閉錠処理が完了したことを通知し、携帯端末３０の制御部３０３が表示処理部３０５に表示データを送信し、表示部３０６にＯＫ／ＮＧ等を表示する。また、基地局１０と携帯端末３０が相互に通信可能な在圏領域２０から外れた時に、携帯端末３０が単体で制御部３０３から表示処理部３０５に表示データを送信し、表示部３０６にＯＫ／ＮＧ等を表示するようにしてもよい。
【０１０９】
以上説明したように、本実施形態においては、従来から使用されているＰＤＣ方式の携帯電話網の基地局或いはＰＨＳ電話網の基地局に、ドアロックの開閉錠を行う開閉錠手段と、屋内設備の電源ＯＮ／ＯＦＦ等の制御を行う設備制御手段を追加している。そして、該基地局が携帯端末から「位置登録要求」メッセージを受信した時、基地局が開閉錠手段を駆動して開錠を行い、前記携帯端末が基地局の在圏領域の外に移動した時、閉錠を行う。また、携帯端末から送信される「呼設定」メッセージを受信した時、基地局がコマンドダイヤルであることを認識すると、基地局が設備制御手段を駆動して屋内設備の電源ＯＮ／ＯＦＦ等の制御を行うことができる。従って、本実施形態によれば、事業所・家屋等のドアの自動開錠／閉錠やエアコン等の屋内設備の電源ＯＮ／ＯＦＦ制御などの制御機能を、従来から使用されている通話が可能な基地局を少し改良するだけで、安価に迅速に提供することが可能となる。
【０１１０】
また、１台の携帯端末で事業所・家屋或いは自動車等の各種ドアの開錠／閉錠が可能となり、従来必要とされていた、各種ドア専用の複数の鍵の所持や、それぞれの鍵の判別が不要となる。
【０１１１】
さらに、携帯端末が基地局の通信可能領域から外れた場合、自動的に閉錠されるため、インロックや施錠を忘れるという問題がなくなる。
【０１１２】
またさらに、ドアの開錠／閉錠の際には、鍵穴に鍵をさす必要がないため、両手に荷物を持っている場合や降雨時などに、一旦、荷物を置く等の手間が不要となる。
【０１１３】
また、鍵穴が不要であるため、特殊工具等による開錠が不可能となり窃盗等の被害を無くすことができる。
【０１１４】
さらに、携帯電話・ＰＨＳ電話網の認証処理を利用しているため、暗証番号の解読等による不正な開錠を防ぐことができる。
【０１１５】
またさらに、基地局は屋内設置が可能なため、日光、風雪による劣化やイタズラ等による機器の破壊を防ぐことができる。
【０１１６】
また、各設備の設備制御を行う際に、継続的な通信が不要となるため、トラフィック増加による通信網への負荷の増大や通信料を軽減することができる。
【図面の簡単な説明】
【０１１７】
【図１】本発明の自動制御機能を備える無線通信システムの一実施形態を示すブロック図である。
【図２】基地局の一例を示す詳細ブロック図である。
【図３】携帯端末の一例を示す詳細ブロック図である。
【図４】携帯端末が位置登録要求を行う際のメッセージシーケンスを示す図である。
【図５】携帯端末が発信を行う際のメッセージシーケンスを示す図である。
【図６】ＰＤＣ方式携帯電話網での動作を説明する第１のフローチャートである。
【図７】ＰＤＣ方式携帯電話網での動作を説明する第２のフローチャートである。
【図８】ＰＨＳ電話網での動作を説明する第１のフローチャートである。
【図９】ＰＨＳ電話網での動作を説明する第２のフローチャートである。
【符号の説明】
【０１１８】
１０    基地局
１００  主制御・通信装置
１０１    送受信アンテナ
１０２    無線部
１０３    制御部
１０４    メモリ
１０５    表示処理部
１０６    表示部
１０７    入力処理部
１０８    キーボード
１０９    開閉錠処理部
１１０    ドアロックアクチュエータ
１１１    設備制御処理部
１１２    設備制御装置
１１３    回線インタフェース
２０    在圏領域
３０    携帯端末
３０１    送受信アンテナ
３０２    無線部
３０３    制御部
３０４    メモリ
３０５    表示処理部
３０６    表示部
３０７    入力処理部
３０８    キーボード
【図１】
2005210422.tif 000003
【図２】
2005210422.tif 000004
【図３】
2005210422.tif 000005
【図４】
2005210422.tif 000006
【図５】
2005210422.tif 000007
【図６】
2005210422.tif 000008
【図７】
2005210422.tif 000009
【図８】
2005210422.tif 000010
【図９】
2005210422.tif 000011